(57)【特許請求の範囲】
【請求項１】
原稿を搬送して該原稿に記載された情報を読み取る画像読取装置において、
原稿を搬送するための原稿搬送手段と、原稿をガイドするための上原稿ガイドと、読取面上に搬送された前記原稿に記載された情報を光学的に読み取るための読取手段と、該読取手段に原稿を押圧する原稿押圧手段と、該原稿押圧手段に平面度を確保するための金属部と、前記原稿押圧手段の押圧のための圧縮バネと、前記上原稿ガイドの上部でビス止めされる板金板バネと、前記上原稿ガイドの前記原稿押圧手段取付部の長手方向略中心に圧縮バネを仮固定及び規制するための円錐ボスとを有し、
前記板金板バネと前記圧縮バネを前記上原稿ガイドを挟んで接触部以外は上下に隔離させ、前記上原稿ガイドに前記板金板バネと前記圧縮バネを接触させるためのスリットを形成し、前記接触部を搬送原稿の幅方向略中心に位置せしめたことを特徴とする画像読取装置。
【発明の詳細な説明】
【０００１】
【発明の属する技術分野】
本発明は、ファクシミリ等の画像読取装置に関する。
【０００２】
【従来の技術】
画像読取装置における原稿押圧手段のアース取りの構成を図９に示すが、従来は図９（ａ）に示すように圧縮バネＴ１の端部を引き伸ばして直接ビス止めするか、図９（ｂ）に示すように板バネＴ２をボスＴ３に差し込んだ後に圧縮バネＴ１を組み込む構造が採用されていた。
【０００３】
【発明が解決しようとする課題】
しかしながら、図９（ａ）に示す構成では、部品コストがアップする上、組立性が悪かった。又、図９（ｂ）に示す構成では、板金の形状が複雑になる上、圧縮バネＴ１の仮固定をしようとすると接触不良が起こり、仮固定をしないと組立性が非常に悪くなるという問題があった。
【０００４】
本発明は上記問題に鑑みてなされたもので、その目的とする処は、原稿搬送の左右バランスを崩すことなく、原稿押圧手段の確実なアース取りと組込性の向上を図ることができる画像読取装置を提供することにある。
【０００５】
【課題を解決するための手段】
上記目的を達成するため、本発明は、原稿を搬送して該原稿に記載された情報を読み取る画像読取装置において、
原稿を搬送するための原稿搬送手段と、原稿をガイドするための上原稿ガイドと、読取面上に搬送された前記原稿に記載された情報を光学的に読み取るための読取手段と、該読取手段に原稿を押圧する原稿押圧手段と、該原稿押圧手段に平面度を確保するための金属部と、前記原稿押圧手段の押圧のための圧縮バネと、前記上原稿ガイドの上部でビス止めされる板金板バネと、前記上原稿ガイドの前記原稿押圧手段取付部の長手方向略中心に圧縮バネを仮固定及び規制するための円錐ボスとを有し、
前記板金板バネと前記圧縮バネを前記上原稿ガイドを挟んで接触部以外は上下に隔離させ、前記上原稿ガイドに前記板金板バネと前記圧縮バネを接触させるためのスリットを形成し、前記接触部を搬送原稿の幅方向略中心に位置せしめたことを特徴とする。
【０００６】
【発明の実施の形態】
以下に本発明の実施の形態を添付図面に基づいて説明する。
【０００７】
先ず、図７及び図８に基づいてファクシミリ装置の概略構成を説明する。
【０００８】
図７はファクシミリ装置の断面図、図８は同ファクシミリ装置の斜視図であり、図中、１は装置本体であって、該装置本体１は読取対象としての原稿Ｓの画像を読み取る画像読取部２と記録対象としての記録紙Ｐに画像を記録する画像記録部１０とで構成されている。
【０００９】
上記画像読取部２は、複数枚の原稿Ｓを載置可能な原稿載置台８ａを有する上面カバー８と、原稿Ｓの画像情報を読み取る読取手段としての密着型イメージセンサ４と、該密着型イメージセンサ４に原稿Ｓを押圧する原稿押圧手段５と、前記原稿載置台８ａ上に載置された原稿Ｓを１枚ずつ順次給送して前記密着型イメージセンサ４を介して搬出する原稿搬送部３と、原稿Ｓの搬送経路を形成する上原稿ガイド６及び下原稿ガイド７を有している。
【００１０】
前記原稿載置台８ａを有する上面カバー８は、後述するプロセスカートリッジ１１ｅ（図７参照）の交換やジャム処理が容易に行えるように、装置本体１に対して開閉可能に取り付けられている。又、原稿載置台８ａには原稿Ｓの搬送方向と直交する幅方向にスライド可能なスライダ８ｂが設けられており、該スライダ８ｂにより原稿載置台８ａ上に載置された原稿Ｓの両端を揃えることができる。
【００１１】
読取手段としての前記密着型イメージセンサ４は、光源としてのＬＥＤアレイから原稿Ｓの画像情報面に光を照射し、該画像情報面で反射した反射光をセルフォックレンズ（登録商標）でセンサ素子に結像して画像情報を読み取るものである。
【００１２】
前記画像記録部１０は、記録対象としての記録紙Ｐを積載する記録紙積載部２３と、該記録紙積載部２３から記録紙Ｐを１枚ずつ順次給送する記録紙給送部１２と、給送された記録紙Ｐに画像を記録形成する画像形成部１１と、該画像形成部１１に画像情報としてのレーザー光を照射するレーザースキャナ１３と、読み取り終了後に排出される記録紙Ｐを積載保持する共用排出トレイ１９（図８参照）と、記録後にＵターン排出される記録紙Ｐを積載保持する記録紙排出台１８と、搬送される記録紙Ｐを案内支持する搬送ガイド１７とを有している。
【００１３】
前記記録紙給送部１２は給送が開始されると、分離ローラ１２ｂに圧接された記録紙Ｐを該分離ローラ１２ｂとこれに圧接された分離パッド１２ａによって１枚ずつに分離した後、搬送ローラ１２ｃとこれに圧接されて従動回転する搬送コロ１２ｄによって、画像形成部１１にて形成された画像（トナー像）の先端と該記録紙Ｐの先端が一致するようにタイミングを合わせて画像形成部１１の感光ドラム１１ａと転写手段１１ｆとの間に記録紙Ｐを搬送する。
【００１４】
尚、記録紙積載部２３は複数枚の記録紙Ｐを積載することが可能であり、記録紙セット可能枚数を約１００枚程度としている。又、積載セット可能な記録紙ＰのサイズはＡ４サイズとレターサイズ及びリーガルサイズの３種類としている。但し、記録紙セット可能枚数及び積載セット可能な記録紙のサイズは上記のものに限定されるものではない。
【００１５】
而して、前記画像形成部１１では、先ず、画像信号に基づいてレーザースキャナ１３のレーザービーム発振器から画像信号であるレーザー光が照射される。このレーザー光はポリゴンミラー１３ｂ、レンズ１３ａ及び折り返しミラー１３ｃによって画像形成部１１の感光ドラム１１ａに照射され、該感光ドラム１１ａの表面に潜像が形成される。
【００１６】
前記画像形成部１１においては、感光ドラム１１ａとこれに作用するプロセス手段としての帯電手段１１ｂ、現像手段１１ｃ及びクリーニング手段１１ｄとが枠体内に組み込まれてプロセスカートリッジ１１ｅが形成され、このプロセスカートリッジ１１ｅは装置本体１に対して着脱自在に構成されている。従って、前述した画像形成時には、帯電手段１１ｂにより均一に帯電された感光ドラム１１ａの表面にレーザースキャナ１３からレーザー光が照射されて潜像が形成され、この潜像が現像手段１１ｃから供給されるトナーによって現像されてトナー像として顕像化される。
【００１７】
又、画像形成部１１において、感光ドラム１１ａの周辺部には、該感光ドラム１１ａの表面に形成されたトナー像を記録紙Ｐに転写するための転写手段１１ｆが配置されており、感光ドラム１１ａよりも下流側の記録紙搬送経路には転写されたトナー像を記録紙Ｐに定着させるための定着手段１４が配置されている。尚、図７において、１５，１６は排出ローラ対である。
【００１８】
而して、記録紙積載部２３から画像形成部１１にタイミングを合わせて給送された記録紙Ｐは、前記転写手段１１ｆにより感光ドラム１１ａ表面に形成されたトナー像の転写を受けた後、搬送ガイド１７に沿って搬送され、前記定着手段１４により前記トナー像が定着されて排出ローラ対１５により前記共用排出トレイ１９或はＵターンパスを介して排出ローラ対１６により記録紙排出台１８に排出される。
【００１９】
尚、記録中にジャムが発生した場合には、前記原稿載置台８ａを有する上面カバー８の開閉バーを開けることによって装置本体１の内部に滞留している記録紙Ｐを容易に取り出すことができる。
【００２０】
次に、本発明に係る画像読取装置の構成及び動作を図１〜図６に基づいて説明する。
【００２１】
図１は原稿押圧手段と白地アース板の接触部を示す要部斜視図、図２は原稿押圧手段と上原稿ガイドとの結合部を示す要部斜視図、図３は原稿押圧手段の構成図であって、（ａ）は上面図、（ｂ）は側面図、（ｃ）は正面図、（ｄ）は（ｃ）のＡ−Ａ線断面図、図４は画像読取装置の断面図、図５は原稿押圧手段を上原稿ガイドに組み付けた状態の上原稿ガイドユニットの上面図、図６（ａ）〜（ｅ）は原稿押圧手段と白地アースの取付構造の種々の形態を示す模式的断面図（図５のＢ−Ｂ線断面図）である。
【００２２】
先ず、図４に基づいて画像読取部２の構成を原稿の流れに沿って説明する。
【００２３】
図４に示すように、画像読取部２では、原稿載置台８ａ（図７及び図８参照）上に原稿Ｓを積載するときに該原稿Ｓの先端が分離ローラ３ａとこれに圧接された予備圧接アーム３ｈに挟まれ、ストッパ３ｇのストップ面に突き当たり、原稿Ｓをそれ以上奥には突っ込めないようになっている。このようにして原稿Ｓがセットされた後、該原稿Ｓの搬送をスタートするとストッパ３ｇが給紙コロ３ｃにより開放され、原稿Ｓは分離ローラ３ａとこれに圧接された予備圧接アーム３ｈによって摩擦片３ｂ部まで送られる。そして、原稿Ｓは分離ローラ３ａとこれに圧接された摩擦片３ｂにより１枚ずつ分離されて給送される。この１枚に分離された原稿Ｓは更に押圧バネ３ｉにより押圧された給紙コロ３ｃに圧接された給紙ローラ３ｄ等によって密着型イメージセンサ４に搬送され、後述する原稿押圧手段５により密着型イメージセンサ４に密着されつつ、順次ライン送りされながら画像情報が読み取られる。その後、原稿Ｓは、押圧バネ３ｉにより押圧された排紙コロ３ｅに圧接された排紙ローラ３ｆによって共用排紙トレイ１９（図８参照）に排出され、この間、原稿Ｓは上原稿ガイド６と下原稿ガイド７によりガイドされる。
【００２４】
尚、上原稿ガイド６側にはストッパ３ｇ、予備圧接アーム３ｈ、摩擦片３ｂ、給紙コロ３ｃ、排紙コロ３ｅ、押圧バネ３ｉ、原稿押圧手段５等が設けられており、下原稿ガイド７側には分離ローラ３ａ、給紙ローラ３ｄ、排紙ローラ３ｆ、密着型イメージセンサ４等が設けられている。そして、上原稿ガイド６側は下原稿ガイド７側に対して図４の矢印方向に開閉可能になっている。従って、ジャム等が発生した場合には、上原稿ガイド６側を開くことにより原稿搬送路が開放され、これによってジャム処理が容易に行えるようになっている。
【００２５】
次に、前記原稿押圧手段５について詳述する。
【００２６】
図２及び図３において、５は原稿押圧手段であり、これは原稿Ｓを密着型イメージセンサ４に押圧するためのものである。この原稿押圧手段５は、白地シート５ａと、該白地シート５ａを介して原稿Ｓを密着型イメージセンサ４の読取面上に押圧する原稿押圧部材５ｂとで構成され、白地シート５ａと原稿押圧部材５ｂは両面テープによって結合されている。尚、白地シート５ａと原稿押圧部材５ｂの結合方法はこれに限定されるものではなく、両面テープ以外のその他の粘着剤（アクリル系、ゴム系粘着剤）或は接着剤により結合しても良い。
【００２７】
ところで、白地シート５ａは、図１及び図２に示すように、その長手方向両端（原稿搬送方向と直交する幅方向両端）に上原稿ガイド６への取付部となる取付孔５ａ１が形成されている。この白地シート５ａは変形自在であり、具体的にはポリエステルフィルム、合成紙（ユポ）、ポリカーボネートシート、塩化ビニルシート等で構成されている。
【００２８】
そして、上原稿ガイド６には、前記白地シート５ａの取付孔５ａ１を引っ掛けて支持するための引っ掛け部としての三角リブ６ａが設けられている（図１、図２及び図５参照）。
【００２９】
又、図２に示すように、前記三角リブ６ａには、前記白地シート５ａの取付孔５ａ１の抜け止めのための抜け止め部６ｂと、原稿押圧手段５を上原稿ガイド６へ取り付けるときに白地シート５ａの取付孔５ａ１を案内するための斜面６ｃが形成されている。
【００３０】
従って、原稿押圧手段５の上原稿ガイド６への取り付けは、白地シート５ａの取付孔５ａ１を三角リブ６ａの斜面６ｃに沿って押し込み、この押し込みによって長手方向内側に撓んだ白地シート５ａの取付孔５ａ１を長手方向外側に向かって開いて三角リブ６ａに差し込むことによって容易になされる。
【００３１】
前述のように原稿押圧部材５ｂは白地シート５ａに両面テープによって結合されており、該原稿押圧部材５ｂが結合された変形自在な白地シート５ａを上原稿ガイド６の所定位置に押し込み、その取付孔５ａ１を上原稿ガイド６の三角リブ６ａに差し込むだけで原稿押圧手段５を上原稿ガイド６に簡単に取り付けることができる。
【００３２】
又、原稿押圧手段５は、所定の範囲内でどこからも規制を受けないように、その長手方向両端（白地シート５ａの取付孔５ａ１）が上原稿ガイド６の三角リブ６ａに支持されている。本実施の形態に係る原稿押圧手段５は、図４に示すように、上原稿ガイド６を閉めたときに密着型イメージセンサ４の読取面上に乗り、この状態において所定の範囲内で原稿搬送方向上流側と下流側及び原稿搬送方向と垂直な方向から規制を受けないように構成されている。
【００３３】
ここで、原稿押圧手段５が規制を受けない範囲とは、白地シート５ａの取付孔５ａ１と上原稿ガイド６の三角リブ６ａとの間の遊び分である。この白地シート５ａの取付孔５ａ１と上原稿ガイド６の三角リブ６ａとの間の遊びは、前述のように原稿押圧手段５が密着型イメージセンサ４の読取面上に乗った状態において、図２に示すように取付孔５ａ１と三角リブ６ａとの間に形成される隙間ｔ１〜ｔ４である。尚、本実施の形態では、原稿搬送方向上流側と下流側の隙間ｔ１，ｔ２はそれぞれ約０．０５ｍｍ〜０．５ｍｍ程度、原稿搬送方向と垂直な方向の隙間ｔ３，ｔ４はそれぞれ約０．５ｍｍ〜５ｍｍ程度に設定されている。
【００３４】
以上の構成により、白地シート５ａの取付孔５ａ１と上原稿ガイド６の三角リブ６ａとの間の遊び（隙間ｔ１〜ｔ４）の範囲内で、原稿押圧手段５は原稿搬送方向上流側と下流側及び原稿搬送方向と垂直な方向に規制を受けないため、密着型イメージセンサ４の読取面に対して原稿Ｓを自由自在に押圧することができ、該原稿Ｓをより確実に密着型イメージセンサ４の読取面上に密着させることができる。
【００３５】
次に、原稿押圧手段５の原稿押圧部材５ｂのアースを取るための構成を図１、図５及び図６に示す。
【００３６】
図１において、３ｊは白地アース板バネ、３ｋは白地アース圧縮バネであり、アースの接触構造は、白地アース圧縮バネ３ｋと白地アース板バネ３ｊのバネ力によって原稿押圧部材５ｂと白地アース圧縮バネ３ｋが圧接されることによって構成されている。又、白地アース圧縮バネ３ｋと原稿押圧部材５ｂも前記バネ力によって圧接されている。尚、白地アース板バネ３ｊはビス孔３ｊ１に挿通するビス３０（図５参照）によって上原稿台６に固定されている。
【００３７】
図５は上原稿ガイドユニットの上面図であり、白地アース板バネ３ｊは上原稿ガイド６に形成されたスリット６ｄを介して図１に示す白地アース圧縮バネ３ｋと接触している。白地アース板バネ３ｊはビス止め部でコロ押圧板バネ３ｎ１と接触し、コロ軸３ｍを介してコロ押圧板バネ３ｎ２に接触することによってグランド線Ｇにアースが落ちるように構成されている。ここで、白地アース板バネ３ｊを搬送幅方向の中心で接触させることによって押圧バランスを崩さない接触が可能である。
【００３８】
図６に上記アース構成の組立要領を示す。
【００３９】
図６（ａ）に示す上原稿ガイド６において、６ｅは円錐のボス、６ｄはスリットであり、スリット６ｄの長手方向の幅は円錐ボス６ｅの根元直径より大きく設定されている。
【００４０】
而して、先ず図６（ｂ）に示すように白地アース圧縮バネ３ｋを▲１▼方向に差し込むと、該白地アース圧縮バネ３ｋは円錐ボス６ｅとバネ内径の嵌め合いにより仮固定される。次に、図６（ｃ）に示すように原稿押圧手段５を▲２▼方向に組み込む。このとき、前述のように白地アース圧縮バネ３ｋは仮固定されているため、上原稿ガイド６を裏返さなくてもこれを組み込むことができる。尚、原稿押圧手段５の組込方法は前述したため、これについての説明は省略する。
【００４１】
次に、図６（ｄ）に示すように、白地アース板バネ３ｊを▲３▼方向に上原稿ガイド６のスリット６ｄに差し込む。すると、白地アース圧縮バネ３ｋは白地アース板バネ３ｊと接触する。このようにして、白地アース圧縮バネ３ｋの仮固定と確実なアースの接触が可能となる。
【００４２】
以上説明したように、原稿押圧手段５の取り付けは上原稿ガイド６の上部で行われるため、白地アース圧縮バネ３ｋが仮固定されていない場合には組み込み時にこれが落ちてしまう。又、組み込んでからでは白地アース圧縮バネ３ｋが正規の位置にあるかどうか確認しづらい。
【００４３】
而して、本実施の形態によれば、搬送の左右のバランスを崩すことなく、白地アース圧縮バネ３ｋの確実な接触と組込性の大幅な向上を同時に実現することができる。
【００４４】
尚、以上の実施の形態では、１つの原稿押圧手段について例示したが、本発明はこれに限定されるものではなく、金属を用いた原稿押圧手段に適用可能であることは勿論である。
【００４５】
又、以上の実施の形態では、画像読取装置としてファクシミリ装置を例示したが、本発明はこれに限定されるものではなく、例えば複写機等の画像形成装置における画像読取装置に本発明を適用することによって前記と同様の効果を得ることができる。
【００４６】
更に、以上の実施の形態では、記録方式として電子写真方式を例示したが、これに限定されるものではなく、例えばインクジェット方式等の他の記録方式であっても良い。
【００４７】
【発明の効果】
以上の説明で明らかなように、本発明によれば、画像読取装置において、板金板バネと圧縮バネを上原稿ガイドを挟んで接触部以外は上下に隔離させ、前記上原稿ガイドに前記板金板バネと前記圧縮バネを接触させるためのスリットを形成し、前記接触部を搬送原稿の幅方向略中心に位置せしめたため、原稿搬送の左右バランスを崩すことなく、原稿押圧手段の確実なアース取りと組込性の向上を図ることができるという効果が得られる。
【図面の簡単な説明】
【図１】原稿押圧手段と白地アース板の接触部を示す要部斜視図である。
【図２】原稿押圧手段と上原稿ガイドとの結合部を示す要部斜視図である。
【図３】原稿押圧手段の構成図である。
【図４】画像読取装置の断面図である。
【図５】原稿押圧手段を上原稿ガイドに組み付けた状態の上原稿ガイドユニットの上面図である。
【図６】原稿押圧手段と白地アースの取付構造の種々の形態を示す模式断面図（図５のＢ−Ｂ線断面図）である。
【図７】本発明に係るファクシミリ装置の断面図である。
【図８】本発明に係るファクシミリ装置の斜視図である。
【図９】従来の原稿押圧手段のアース取りの構成を示す図である。
【符号の説明】
１        装置本体
２        画像読取部
３        原稿搬送部（原稿搬送手段）
３ｊ      白地アース板バネ（板金板バネ）
３ｋ      白地アース圧縮バネ（圧縮バネ）
４        密着型イメージセンサ（読取手段）
５        原稿押圧手段
５ａ      白地シート
５ｂ      原稿押圧部材（金属部）
６        上原稿ガイド
６ｄ      スリット
６ｅ      円錐ボス
Ｓ        原稿
【図１】
0004266475.tif 000002
【図２】
0004266475.tif 000003
【図３】
0004266475.tif 000004
【図４】
0004266475.tif 000005
【図５】
0004266475.tif 000006
【図６】
0004266475.tif 000007
【図７】
0004266475.tif 000008
【図８】
0004266475.tif 000009
【図９】
0004266475.tif 000010